(57)【特許請求の範囲】
【請求項１】
長尺帯状のウエビングベルトの長手方向基端側が係止され、中心軸線周りの一方である巻取方向に回転させることで前記ウエビングベルトを基端側から巻取るスプール本体の軸方向一端部の外側に、前記スプール本体に対して同軸的且つ一体的な嵌合軸部が前記スプール本体の軸方向一端の外側に設けられたスプールと、
前記スプール本体の軸方向一端部の側方に設けられると共に、前記嵌合軸部に対して前記中心軸線周りに位相が合う状態で前記嵌合軸部が嵌合可能な嵌合孔部を有し、前記嵌合孔部に前記嵌合軸部が嵌合した状態では前記中心軸線周りの前記嵌合軸部に対する相対回転が規制されたアダプタと、
前記スプール本体の軸方向に沿って前記スプール本体の軸方向一端部と対向して設けられ、前記アダプタの前記嵌合孔部が外部に露出した状態で前記アダプタを内側に収容して前記アダプタを前記中心軸線周りに回転自在に支持するハウジングを有すると共に、一端が前記ハウジングに係止されて他端が前記アダプタに係止され、前記巻取方向とは反対の引出方向に前記アダプタが回転することで前記巻取方向への付勢力が増加するスプリングが前記ハウジングの内側に設けられたスプリングアッセンブリと、
を備え、前記嵌合孔部に対して前記嵌合軸部の前記位相がずれた状態で前記嵌合軸部の先端側が前記嵌合孔部に入り込んだ際に、前記アダプタを前記引出方向に押圧し、又は、前記嵌合軸部によって前記引出方向に押圧され、この押圧力によって前記嵌合孔部に嵌合可能な回転位置まで前記嵌合軸部に対して前記アダプタを前記引出方向に相対回転させるガイド手段を、前記アダプタ及び前記スプールの少なくとも何れか一方に設けたウエビング巻取装置。
【請求項２】
前記スプール本体に対して同軸的な軸部本体と、
前記中心軸線周りに所定角度毎に前記軸部本体の外周部から突出形成された複数の軸部側突起と、
を含めて前記嵌合軸部を構成すると共に、
前記軸部本体よりの内径寸法が大きく内側に前記軸部本体及び前記複数の軸部側突起を収容可能な孔部本体と、
前記孔部本体の内周部から突出形成され、前記複数の突起が前記孔部本体に入り込んだ状態では、前記中心軸線周りに前記軸部側突起と対向し、前記軸部側突起に干渉することで前記アダプタに対する前記嵌合軸部の相対回転を規制する孔部側突起と、
を含めて前記アダプタを構成し、
前記軸部側突起において前記軸部本体の先端側を向く端部に前記引出方向を向く軸部側斜面を形成し、この軸部側斜面を含めて前記ガイド手段を構成した請求項１に記載のウエビング巻取装置。
【請求項３】
前記スプール本体に対して同軸的な軸部本体と、
前記中心軸線周りに所定角度毎に前記軸部本体の外周部から突出形成された複数の軸部側突起と、
を含めて前記嵌合軸部を構成すると共に、
前記軸部本体よりの内径寸法が大きく内側に前記軸部本体及び前記複数の軸部側突起を収容可能な孔部本体と、
前記孔部本体の内周部から突出形成され、前記複数の突起が前記孔部本体に入り込んだ状態では、前記中心軸線周りに前記軸部側突起と対向し、前記軸部側突起に干渉することで前記アダプタに対する前記嵌合軸部の相対回転を規制する孔部側突起と、
を含めて前記アダプタを構成し、
前記孔部側突起において前記孔部本体の開口端側を向く端部に前記巻取方向を向く孔部側斜面を形成し、この孔部側斜面を含めて前記ガイド手段を構成した請求項１又は請求項２に記載のウエビング巻取装置。
【請求項４】
前記アダプタに形成されて、前記巻取方向を向く面が前記アダプタ及び前記ハウジングに対して着脱可能に設けられたストッパに干渉されることにより前記アダプタの前記巻取方向の回転を規制する係合部を前記アダプタに形成した請求項１から請求項３の何れか１項に記載のウエビング巻取装置。
【発明の詳細な説明】
【技術分野】
【０００１】
本発明は、渦巻きばね等のスプリングの付勢力でスプールを回転させてウエビングベルトをスプールに巻取らせることができるウエビング巻取装置に関する。
【背景技術】
【０００２】
下記特許文献１に開示されたウエビング巻取装置を構成するトーションシャフトの軸方向他端部に形成されたねじ孔には、当接板の一方の面に形成された雄ねじが螺合する。この当接板の他方の面に形成された固定柱はスプリングカバー内に入り込んでいる。この特許文献１では、固定柱に渦巻きばねの渦巻き方向内側端を係止しているが、一般的には、渦巻きばねの渦巻き方向内側端が係止されたアダプタと称される部材がハウジング（特許文献１ではスプリングカバーと称している）の内側でスプールの回転方向に回転自在に支持されている。当接板の他方の面から突出形成された嵌合軸がアダプタに形成された嵌合孔に嵌め込まれ、これにより、トーションシャフトとアダプタとが相対回転不能に連結されるようになっている。
【先行技術文献】
【特許文献】
【０００３】
【特許文献１】特開２００５−２８９３２０の公報
【発明の概要】
【発明が解決しようとする課題】
【０００４】
ところで、当接板の他方の面から突出形成された嵌合軸の外周形状は、星形や多角形等の非円形とされており、この嵌合軸の外周形状に対応してアダプタに形成された嵌合孔は非円形とされている。このため、嵌合軸の中心軸線周りの嵌合軸の位相と嵌合孔の位相がずれた状態では、嵌合軸を嵌合孔に嵌挿することができない。このため、嵌合軸を嵌合孔に嵌挿する際には、嵌合軸の位相と嵌合孔の位相とを揃えるという煩雑な作業を要していた。
【０００５】
本発明は、上記事実を考慮して、スプリング側のアダプタにスプール側の軸部を簡単に嵌挿できるウエビング巻取装置を得ることが目的である。
【課題を解決するための手段】
【０００６】
請求項１に記載の本発明に係るウエビング巻取装置は、長尺帯状のウエビングベルトの長手方向基端側が係止され、中心軸線周りの一方である巻取方向に回転させることで前記ウエビングベルトを基端側から巻取るスプール本体の軸方向一端部の外側に、前記スプール本体に対して同軸的且つ一体的な嵌合軸部が前記スプール本体の軸方向一端の外側に設けられたスプールと、前記スプール本体の軸方向一端部の側方に設けられると共に、前記嵌合軸部に対して前記中心軸線周りに位相が合う状態で前記嵌合軸部が嵌合可能な嵌合孔部を有し、前記嵌合孔部に前記嵌合軸部が嵌合した状態では前記中心軸線周りの前記嵌合軸部に対する相対回転が規制されたアダプタと、前記スプール本体の軸方向に沿って前記スプール本体の軸方向一端部と対向して設けられ、前記アダプタの前記嵌合孔部が外部に露出した状態で前記アダプタを内側に収容して前記アダプタを前記中心軸線周りに回転自在に支持するハウジングを有すると共に、一端が前記ハウジングに係止されて他端が前記アダプタに係止され、前記巻取方向とは反対の引出方向に前記アダプタが回転することで前記巻取方向への付勢力が増加するスプリングが前記ハウジングの内側に設けられたスプリングアッセンブリと、を備え、前記嵌合孔部に対して前記嵌合軸部の前記位相がずれた状態で前記嵌合軸部の先端側が前記嵌合孔部に入り込んだ際に、前記アダプタを前記引出方向に押圧し、又は、前記嵌合軸部によって前記引出方向に押圧され、この押圧力によって前記嵌合孔部に嵌合可能な回転位置まで前記嵌合軸部に対して前記アダプタを前記引出方向に相対回転させるガイド手段を、前記アダプタ及び前記スプールの少なくとも何れか一方に設けている。
【０００７】
請求項１に記載の本発明に係るウエビング巻取装置によれば、スプールを構成するスプール本体の軸方向一端部の側方にはスプリングアッセンブリを構成するハウジングが設けられる。このハウジングの内側で一端がハウジングに係止されたスプリングの他端がハウジングの内側に設けられたアダプタに係止される。
【０００８】
一方、本発明に係るウエビング巻取装置はスプールを構成するスプール本体の軸方向一端部の側方には嵌合軸部がスプール本体に対して同軸的且つ一体的に設けられており、嵌合軸部とアダプタに形成された嵌合孔部とが嵌合する。スプールからウエビングベルトを引出してスプール本体と共に嵌合軸部を引出方向に回転させると、嵌合軸部と共にアダプタが引出方向に回転する。この引出方向へのアダプタの回転によりスプリングの巻取方向への付勢力が増加し、このように増加したスプールの付勢力でスプールを巻取方向に回転させることができ、スプールにウエビングベルトを巻取らせることができる。
【０００９】
ところで、上記の嵌合軸部は嵌合孔部に対するスプール本体の中心軸線周りの位相が合った状態で嵌合孔部に入り込むことができる。ここで、アダプタ及びスプールの少なくとも何れか一方にはガイド手段が設けられている。
【００１０】
スプールにガイド手段が設けられているのであれば、嵌合孔部に対する嵌合軸部の位相が合っていない状態で嵌合孔部に嵌合軸部の先端側を入り込ませると、ガイド手段がアダプタを引出方向に押圧し、この押圧力によって嵌合孔部に嵌合軸部が嵌合する回転位置（すなわち、嵌合孔部に対して嵌合軸部の位相が合う位置）まで嵌合軸部に対してアダプタが引出方向に相対的に回転する。
【００１１】
一方、アダプタにガイド手段が設けられているのであれば、嵌合孔部に対する嵌合軸部の位相が合っていない状態で嵌合孔部に嵌合軸部の先端側を入り込ませると、スプールによりガイド手段が引出方向に押圧され、この押圧力によって嵌合孔部に嵌合軸部が嵌合する回転位置（すなわち、嵌合孔部に対して嵌合軸部の位相が合う位置）まで嵌合軸部に対してアダプタが引出方向に相対的に回転する。
【００１２】
これにより、嵌合軸部を嵌合孔部に嵌合させる際に嵌合軸部と嵌合孔部との位相を合わせておかなくても簡単に嵌合軸部を嵌合孔部に嵌合させることができる。
【００１３】
請求項２に記載の本発明に係るウエビング巻取装置は、請求項１に記載の本発明において、前記スプール本体に対して同軸的な軸部本体と、前記中心軸線周りに所定角度毎に前記軸部本体の外周部から突出形成された複数の軸部側突起と、を含めて前記嵌合軸部を構成すると共に、前記軸部本体よりの内径寸法が大きく内側に前記軸部本体及び前記複数の軸部側突起を収容可能な孔部本体と、前記孔部本体の内周部から突出形成され、前記複数の突起が前記孔部本体に入り込んだ状態では、前記中心軸線周りに前記軸部側突起と対向し、前記軸部側突起に干渉することで前記アダプタに対する前記嵌合軸部の相対回転を規制する孔部側突起と、を含めて前記アダプタを構成し、前記軸部側突起において前記軸部本体の先端側を向く端部に前記引出方向を向く軸部側斜面を形成し、この軸部側斜面を含めて前記ガイド手段を構成している。
【００１４】
請求項２に記載の本発明に係るウエビング巻取装置によれば、嵌合軸部はスプール本体に対して同軸的な軸部本体を有しており、この軸部本体の外周部からはスプール本体の中心軸線周りに複数の軸部側突起が所定角度毎に形成されている。これに対し、アダプタの嵌合孔部は、上記の軸部本体と軸部側突起とを収容可能な孔部本体を有しており、この孔部本体の内周部には複数の孔部側突起がスプール本体の中心軸線周りに所定角度毎に形成されている。
【００１５】
嵌合孔部に嵌合軸部を嵌挿させると、スプール本体の中心軸線周りに軸部側突起と孔部側突起とが対向し、嵌合軸部がアダプタに対して回転しようとすると、孔部側突起が軸部側突起に干渉する。これにより、アダプタに対する嵌合軸部の相対回転が規制される。
【００１６】
ここで、嵌合軸部を構成する軸部本体の軸方向中間部よりも先端側では上記の軸部側突起にガイド手段を構成する軸部側斜面が形成される。この軸部側斜面は、軸部側突起において軸部本体の先端側を向く端部を引出方向側へ傾斜させること（すなわち、軸部側突起における軸部本体の先端側の端部を引出方向側へ向けること）により形成される。
【００１７】
嵌合孔部に対する嵌合軸部の位相が合っていない状態で嵌合孔部に嵌合軸部の先端側を入り込ませることで、孔部側突起に軸部側斜面が干渉されると、軸部側斜面が孔部側突起をスプール本体の軸方向に押圧しつつも、スプール本体の中心軸線周りに軸部側斜面が引出方向に孔部側突起を押圧する。これにより、嵌合軸部と嵌合孔部との位相が合う回転位置まで嵌合軸部に対してアダプタが引出方向に相対回転する。
【００１８】
請求項３に記載の本発明に係るウエビング巻取装置は、請求項１又は請求項２に記載の本発明において、前記スプール本体に対して同軸的な軸部本体と、前記中心軸線周りに所定角度毎に前記軸部本体の外周部から突出形成された複数の軸部側突起と、を含めて前記嵌合軸部を構成すると共に、前記軸部本体よりの内径寸法が大きく内側に前記軸部本体及び前記複数の軸部側突起を収容可能な孔部本体と、前記孔部本体の内周部から突出形成され、前記複数の突起が前記孔部本体に入り込んだ状態では、前記中心軸線周りに前記軸部側突起と対向し、前記軸部側突起に干渉することで前記アダプタに対する前記嵌合軸部の相対回転を規制する孔部側突起と、を含めて前記アダプタを構成し、前記孔部側突起において前記孔部本体の開口端側を向く端部に前記巻取方向を向く孔部側斜面を形成し、この孔部側斜面を含めて前記ガイド手段を構成している。
【００１９】
請求項３に記載の本発明に係るウエビング巻取装置によれば、嵌合軸部はスプール本体に対して同軸的な軸部本体を有しており、この軸部本体の外周部からはスプール本体の中心軸線周りに複数の孔部側突起が所定角度毎に形成されている。これに対し、アダプタの嵌合孔部は、上記の軸部本体と孔部側突起とを収容可能な孔部本体を有しており、この孔部本体の内周部には複数の孔部側突起がスプール本体の中心軸線周りに所定角度毎に形成されている。
【００２０】
嵌合孔部に嵌合軸部を嵌挿させると、スプール本体の中心軸線周りに軸部側突起と孔部側突起とが対向し、嵌合軸部がアダプタに対して回転しようとすると、軸部側突起が孔部側突起に干渉する。これにより、アダプタに対する嵌合軸部の相対回転が規制される。
【００２１】
ここで、嵌合孔部を構成する孔部側突起にガイド手段を構成する孔部側斜面が形成される。孔部側斜面は孔部側突起において孔部本体の開口端側（スプール側）を向く端部を巻取方向へ傾斜させること（すなわち、孔部側突起における孔部本体の開口端側の端部を巻取方向側へ向けること）で形成される。
【００２２】
嵌合孔部に対する嵌合軸部の位相が合っていない状態で嵌合孔部に嵌合軸部の先端側を入り込ませることで、軸部側突起に孔部側斜面が干渉されると、軸部側突起が孔部側斜面を押圧する。上記のように、孔部側斜面は巻取方向側へ向いているので、孔部側斜面が軸部側突起から受ける押圧力はスプール本体の軸方向のみならず、スプール本体の軸線周りの引出方向への押圧力として作用し、これにより、嵌合軸部と嵌合孔部との位相が合う回転位置まで嵌合軸部に対してアダプタが引出方向に相対回転する。
【００２３】
請求項４に記載の本発明に係るウエビング巻取装置は、請求項１から請求項３の何れか１項に記載の本発明において、前記アダプタに形成されて、前記巻取方向を向く面が前記アダプタ及び前記ハウジングに対して着脱可能に設けられたストッパに干渉されることにより前記アダプタの前記巻取方向の回転を規制する係合部を前記アダプタに形成した。
【００２４】
請求項４に記載の本発明に係るウエビング巻取装置によれば、アダプタには係合部が形成されており、アダプタ及びスプリングアッセンブリのハウジングに対して着脱可能に設けられたストッパがアダプタの係合部における巻取方向側の面に干渉すると、アダプタの巻取方向への回転が規制される。上記のように、アダプタにはスプリングの他端が係止されており、スプリングにより巻取方向に付勢されることで、不用意な引出方向への回転が規制されるが、更にストッパによって巻取方向の回転が規制されることでアダプタが安定する。
【００２５】
このように安定したアダプタの嵌合孔部に対して嵌合軸部の位相が合っていない状態で嵌合孔部に嵌合軸部の先端側を入り込ませると、ガイド手段がアダプタを相対的に引出方向に回転させる。これにより、嵌合軸部と嵌合孔部との位相が合う回転位置まで嵌合軸部に対してアダプタが相対回転する。
【発明の効果】
【００２６】
以上説明したように、本発明に係るウエビング巻取装置では、スプール側の嵌合軸部をスプリング側に設けられたアダプタの嵌合孔部に簡単に嵌め込むことができる。
【図面の簡単な説明】
【００２７】
【図１】本発明の一実施の形態に係るウエビング巻取装置の構成を概略的に示す正面断面図である。
【図２】嵌合軸部とアダプタの嵌合孔部とを拡大した斜視図である。
【図３】嵌合軸部を拡大した正面図である。
【図４】嵌合孔部を拡大した正面図である。
【図５】スプリングアッセンブリのハウジングをスプール側から見た図で、（Ａ）は巻取方向へのアダプタの回転がストッパに規制された状態を示し、（Ｂ）は（Ａ）の状態からアダプタが引出方向に回転した状態を示す。
【発明を実施するための形態】
【００２８】
＜本実施の形態の構成＞
図１にはウエビング巻取装置１０の構成の概略が正面断面図により示されている。これらの図に示されるように、本ウエビング巻取装置１０は、厚さ方向に互いに対向する脚板１２と脚板１４とを含めて構成されるフレーム１６を備えている。このフレーム１６の脚板１２と脚板１４との間にはスプール１７が設けられる。スプール１７は全体的に軸方向が脚板１２と脚板１４との対向方向に沿った円筒形状に形成されたスプール本体１８を備えている。
【００２９】
このスプール本体１８には長尺帯状に形成されたウエビングベルト２０の長手方向基端側が係止されており、スプール本体１８をその中心軸線周りの一方である巻取方向に回転させると、ウエビングベルト２０がその長手方向基端側からスプール本体１８の外周部に巻き取られ、ウエビングベルト２０をその先端側へ引っ張ると、ウエビングベルト２０においてスプール本体１８に巻き取られている部分が引き出されつつ、スプール本体１８が巻取方向とは反対の引出方向に回転する。
【００３０】
このスプール本体１８の内側には本実施の形態においてはスプール本体１８と共にスプール１７を構成するトーションシャフト２２が設けられる。トーションシャフト２２は軸方向がスプール本体１８の軸方向に沿った棒状のシャフト本体２４を備えている。このシャフト本体２４の軸方向一端部にはスプール側連結部２６が形成されている。スプール側連結部２６は外周形状が星形や多角形等の非円形とされている。このスプール側連結部２６に対応してスプール本体１８の軸方向一端部近傍におけるスプール本体１８の内周部には嵌合部２８が形成されており、この嵌合部２８にスプール側連結部２６が嵌合することでトーションシャフト２２はスプール本体１８に対する相対回転が規制された状態（実質的にスプール本体１８に対する相対回転が不能な状態）でスプール本体１８に繋がり、この状態でスプール本体１８に対してシャフト本体２４が同軸的に配置される。
【００３１】
一方、スプール本体１８の軸方向他端側にはロック機構５２を構成するロックベース５４が設けられている。ロックベース５４は外周部にラチェット歯が形成されたロックベース本体５７を備えている。ロックベース本体５７のスプール本体１８側には外周部が円形の挿込部５８がラチェット歯に対して同軸的に形成されている。この挿込部５８に対応してスプール本体１８の軸方向他端側には円孔６０がスプール本体１８に対して同軸的に形成されている。円孔６０はスプール本体１８の軸方向他端部にて開口しており、挿込部５８がスプール本体１８に対して相対回転自在な状態で嵌挿される。
【００３２】
また、挿込部５８にはロックベース本体５７とは反対側で開口した嵌挿孔６２が形成されている。この嵌挿孔６２は内周形状が星形や多角形等の非円形とされており、シャフト本体２４の軸方向他端部に形成されたロックベース側連結部６４が嵌挿孔６２に嵌挿される。これにより、ロックベース５４はトーションシャフト２２に対する相対回転が規制された状態（実質的にトーションシャフト２２に対する相対回転が不能な状態）で繋がる。上記のように、ロックベース５４の挿込部５８はスプール本体１８に対して相対回転可能に円孔６０に嵌挿されるが、スプール側連結部２６にてトーションシャフト２２がスプール本体１８に対して実質的に相対回転不能に繋がっていることで、ロックベース５４はトーションシャフト２２を介してスプール本体１８に対して実質的に相対回転不能に繋がっている。
【００３３】
このロックベース５４の回転半径方向外側にはロックベース５４と共にロック機構５２を構成するロックパウル７２が設けられている。ロックパウル７２はスプール本体１８の軸方向と同じ向きを軸方向とする軸周りに回動可能に脚板１２等に支持されている。また、このロックパウル７２にはロック歯が形成されており、ロックパウル７２がその軸周りの一方に回動すると、ロックパウル７２のロック歯がロックベース本体５７の外周部に接近してロックベース本体５７のラチェット歯に噛み合う。これにより、ロックベース５４の引出方向への回転が規制される。
【００３４】
このようなロックベース５４やロックパウル７２を含めて構成されるロック機構５２は、車両が急減速した場合に作動する所謂「ＶＳＩＲ機構」を構成する各部品（図示省略）や、スプール本体１８の引出方向への回転加速度が所定の大きさ以上の場合に作動する所謂「ＷＳＩＲ機構」を構成する各部品（図示省略）を備えており、このような「ＶＳＩＲ機構」や「ＷＳＩＲ機構」が作動することで、ロックパウル７２はロック歯がロックベース本体５７の外周部へ接近する向きへ回動させられる。
【００３５】
一方、スプール側連結部２６にはシャフト本体２４とは反対方向へ向けて開口した雌ねじ孔９０がシャフト本体２４やスプール本体１８に対して同軸的に形成されている。この雌ねじ孔９０には、スプール本体１８やトーションシャフト２２と共にスプール１７を構成するスプリングスクリュー９２の雄ねじ部９４が螺合する。この雄ねじ部９４の基端側ではスプリングスクリュー９２にフランジ部９６が形成されている。フランジ部９６は外周形状が嵌合部２８の外周形状よりも大きく、フランジ部９６の少なくとも一部は嵌合部２８よりも外側でスプール本体１８の軸方向一端部と対向する。
【００３６】
このフランジ部９６の雄ねじ部９４とは反対側には嵌合軸部９８が形成されている。図２及び図３に示されるように、嵌合軸部９８は軸部本体１００を備えている。軸部本体１００は雄ねじ部９４に対して同軸的にフランジ部９６から突出形成されている。この軸部本体の外周部には複数の軸部側突起１０２が形成されている。軸部側突起１０２は軸部本体１００の外周部から軸部本体１００の半径方向外方へ向けて突出するように、軸部本体１００の中心軸線周りに一定角度毎に形成されている。
【００３７】
これらの軸部側突起１０２には軸部側斜面１０４が形成されている。軸部側斜面１０４はフランジ部９６からの軸部本体１００の突出方向に沿った軸部側突起１０２の先端に形成されており、フランジ部９６からの軸部本体１００の突出方向に対して引出方向へ傾斜している。しかも、軸部側斜面１０４は、フランジ部９６からの軸部本体１００の突出方向に対して引出方向へ傾斜した向きに膨らむように所定の曲率で湾曲している。
【００３８】
一方、図１に示されるように、脚板１４の脚板１２とは反対側で脚板１４にスプリングアッセンブリ１１０を構成するハウジング１１２が取り付けられている。このハウジング１１２は脚板１４へ向けて開口した箱形状に形成されており、その開口端は板状に形成されたシート１１４により閉止されている。このハウジング１１２の内側にはアダプタ１１６が設けられている。アダプタ１１６は軸方向がスプール本体１８の軸方向に沿った円柱形状に形成されており、スプール本体１８に対して同軸的に回転可能にハウジング１１２に支持されている。このアダプタ１１６に対応してシート１１４には円孔１１８が形成されており、アダプタ１１６の脚板１４側の端部が外部に露出している。
【００３９】
また、アダプタ１１６にはアダプタ１１６の脚板１４側の端部で開口した嵌合孔部１２０が形成されている。図２及び図４に示されるように、嵌合孔部１２０は孔部本体１２２を備えている。孔部本体１２２はその内周形状が上述した嵌合軸部９８において軸部本体１００からの軸部側突起１０２の突出方向側の端部を結んだ仮想円よりも大きく形成されており、その内側に嵌合軸部９８を収容できる。
【００４０】
この孔部本体１２２の内周部からは複数の孔部側突起１２４が孔部本体１２２の開口径方向内側へ突出形成されている。孔部側突起１２４は軸部本体１００周りに互いに隣り合う軸部側突起１０２の間隙に対応して形成されており、嵌合孔部１２０に嵌合軸部９８を挿し込むと、周方向に互いに隣り合う孔部側突起１２４の間の間隙の各々に軸部側突起１０２が入り込む。
【００４１】
このため、アダプタ１１６に対してスプリングスクリュー９２が相対回転しようとすると、孔部側突起１２４に軸部側突起１０２が干渉され、これにより、アダプタ１１６に対するスプリングスクリュー９２の相対回転が規制される。また、図４に示されるように、各孔部側突起１２４における嵌合孔部１２０の開口端側の端部は孔部側斜面１２６とされている。孔部側斜面１２６は嵌合孔部１２０の開口方向に対して巻取方向に傾斜しており、しかも、嵌合孔部１２０の開口方向に対して巻取方向に傾斜した向きに膨らむように所定の曲率で湾曲している。
【００４２】
図５に示されるように、このアダプタ１１６の外周部には、ハウジング１１２内に設けられたスプリングとしての渦巻きばね１３２の渦巻き方向内側端が係止されている。この渦巻きばね１３２の渦巻き方向外側端は、ハウジング１１２に形成された係止突起１３４に係止されており、アダプタ１１６が引出方向に回転すると、渦巻きばね１３２が巻き締められ、アダプタ１１６を巻取方向に付勢する。
【００４３】
また、アダプタ１１６にはストッパ挿込孔１３６が形成されている。ストッパ挿込孔１３６はアダプタ１１６の外周部にて開口しており、アダプタ１１６を一時的に保持するためのストッパ１３８の先端側が入り込む。このストッパ１３８は、アダプタ１１６の半径方向にストッパ挿込孔１３６に対して抜き挿し可能にシート１１４に保持されており、渦巻きばね１３２の付勢力を受けたアダプタ１１６が、ストッパ挿込孔１３６の内面においてアダプタ１１６の巻取方向を向く面をストッパ１３８の先端に圧接させることで、アダプタ１１６の不用意な回転が規制されるようになっている。
【００４４】
但し、ストッパ挿込孔１３６の内面においてアダプタ１１６の巻取方向を向く面と引出方向を向く面との間隔は、ストッパ１３８の先端よりも十分に大きく、軸部本体１００周りに互いに隣り合う一方の軸部側突起１０２から他方の軸部側突起１０２まで間隔とされている。
【００４５】
＜本実施の作用、効果＞
本ウエビング巻取装置１０では、スプリングスクリュー９２が組み付けられたトーションシャフト２２を更にスプール本体１８に組み付ける一方で、ハウジング１１２の内側にアダプタ１１６と渦巻きばね１３２が組み付けられてハウジング１１２の開口端がシート１１４によって閉止されてストッパ１３８によってアダプタ１１６の巻取方向への回転が規制される。
【００４６】
このような状態で、スプール本体１８と一体となった嵌合軸部９８がアダプタ１１６の嵌合孔部１２０に嵌め込まれる。ここで、互いに隣り合う孔部側突起１２４の間の間隙と軸部側突起１０２とがスプール本体１８の軸方向に対向していない状態（すなわち、スプール本体１８の中心軸線周りの嵌合孔部１２０の位相に対する嵌合軸部９８の位相がずれている状態）で嵌合軸部９８を嵌合孔部１２０に挿し込もうとすると、軸部側突起１０２に形成された軸部側斜面１０４が孔部側突起１２４に形成された孔部側斜面１２６に当接（線接触又は点接触）する。
【００４７】
この状態で更に嵌合軸部９８を嵌合孔部１２０に挿し込もうとすると、軸部側斜面１０４が孔部側突起１２４を押圧する。ここで、軸部側斜面１０４はフランジ部９６からの軸部本体１００の突出方向に対して引出方向に傾斜しており、孔部側斜面１２６は嵌合孔部１２０の開口方向に対して巻取方向に傾斜している。このため、軸部側斜面１０４は孔部側斜面１２６をフランジ部９６からの軸部本体１００の突出方向に対して引出方向に傾斜した向きに押圧し、この押圧力を孔部側斜面１２６で受けたアダプタ１１６には引出方向の回転力が生じる。
【００４８】
ここで、アダプタ１１６はストッパ挿込孔１３６にストッパ１３８の先端側が挿し込まれていることで、巻取方向への回転は規制されるが、引出方向へは所定角度回転可能である。したがって、アダプタ１１６に上記のような引出方向の回転力が生じることで、アダプタ１１６は引出方向に回転する。このようなアダプタ１１６の引出方向の回転により、スプール本体１８の中心軸線周りに嵌合孔部１２０の位相と嵌合軸部９８の位相とが揃うと、互いに隣り合う孔部側突起１２４の間の間隙に各軸部側突起１０２が入り込み、フランジ部９６が嵌合孔部１２０に嵌合する。
【００４９】
このように、本ウエビング巻取装置１０では、その組み立て工程おいて、スプール本体１８の中心軸線周りの嵌合孔部１２０の位相に対する嵌合軸部９８の位相を揃えなくてもよく、フランジ部９６を嵌合孔部１２０に簡単に嵌合させることができる。
【００５０】
なお、本実施の形態では、嵌合軸部９８の軸部側突起１０２に軸部側斜面１０４を形成して、アダプタ１１６における嵌合孔部１２０の孔部側突起１２４に孔部側斜面１２６を形成した構成であったが、軸部側突起１０２には軸部側斜面１０４を形成して、孔部側突起１２４には孔部側斜面１２６を形成しない構成としてもよく、また、孔部側突起１２４には孔部側斜面１２６を形成して、軸部側突起１０２には軸部側斜面１０４を形成しない構成としてもよい。
【００５１】
さらに、本実施の形態では、スプール１７がスプール本体１８、トーションシャフト２２、及びスプリングスクリュー９２により構成されていたが、スプールはウエビングベルト２０をその基端側から巻き取るスプール本体と、アダプタ１１６の嵌合孔部１２０に嵌合可能な嵌合軸部を備えていればよい。したがって、トーションシャフト２２やスプリングスクリュー９２を備えずにスプール本体１８の軸方向一端部に嵌合軸部９８を突出形成する構成であってもよい。
【符号の説明】
【００５２】
１０    ウエビング巻取装置
１７    スプール
１８    スプール本体
２０    ウエビングベルト
９８    嵌合軸部
１００    軸部本体
１０２    軸部側突起
１０４    軸部側斜面
１１０    スプリングアッセンブリ
１１２    ハウジング
１１６    アダプタ
１２０    嵌合孔部
１２２    孔部本体
１２４    孔部側突起
１２６    孔部側斜面
１３２    渦巻きばね（スプリング）
１３６    ストッパ挿込孔
１３８    ストッパ
【図１】
0005546963.tif 000002
【図２】
0005546963.tif 000003
【図３】
0005546963.tif 000004
【図４】
0005546963.tif 000005
【図５】
0005546963.tif 000006